(57)【特許請求の範囲】
【請求項１】
感光ドラム上に形成されたトナー像を転写ドラムを介して被記録媒体上に転写して画像印刷するようにした電子写真印刷機の感光ドラムクリーニング装置において、
感光ドラムの回転方向上流側から順に、感光ドラムの表面に接触する掻き取りブレードと、感光ドラムの表面にリバース回転にて摺擦する拭き取りロールとを設け、
拭き取りロールの感光ドラムとの摺擦部より上流側に拭き取りロールに対して順回転する絞りロールを、また拭き取りロールの感光ドラムとの摺擦部より下流側で、かつ上記絞りロールとの間に外周の一部を洗浄用のキャリア液に浸漬して、上記拭き取りロールに対して正逆いずれかの方向に回転するブラシロールをそれぞれ拭き取りロールに圧接した
ことを特徴とする電子写真印刷機の感光ドラムクリーニング装置。
【請求項２】
感光ドラム上に形成されたトナー像を転写ドラムを介して被記録媒体上に転写して画像印刷するようにした電子写真印刷機の感光ドラムクリーニング装置において、
感光ドラムの回転方向上流側から順に、感光ドラムの表面に接触する掻き取りブレードと、感光ドラムの表面にリバース回転にて摺擦する拭き取りロールとを設け、
拭き取りロールの感光ドラムとの摺擦部より上流側に拭き取りロールに対して順回転する絞りロールを、また拭き取りロールの感光ドラムとの摺擦部より下流側で、かつ上記絞りロールとの間に外周の一部を洗浄用のキャリア液に浸漬して、上記拭き取りロールに対してリバース回転するブラシロールをそれぞれ拭き取りロールに圧接し、
機械的に連動駆動された拭き取りロール、絞りロール、ブラシロールとを単独モータに連動連結して駆動制御するようにした
ことを特徴とする電子写真印刷機の感光ドラムクリーニング装置。
【請求項３】
掻き取りブレードの下側に、この掻き取りブレードにて掻き取った掻き取り液を導く掻き取り液ガイドを設け、
絞りロールの下側に、絞りロールにて絞られた絞り液と上記掻き取り液ガイドからの掻き取り液を受ける絞り液受皿を設けた
ことを特徴とする請求項１，２のいずれか１項記載の電子写真印刷機の感光ドラムクリーニング装置。
【請求項４】
掻き取りブレードが、感光ドラムとの回転方向に離隔した２個所に配置されている
ことを特徴とする請求項１，２，３のいずれか１項記載の電子写真印刷機の感光ドラムクリーニング装置。
【発明の詳細な説明】
【技術分野】
【０００１】
本発明は、電子写真印刷機の感光ドラムの表面に残留したキャリア液及びトナーをクリーニングする電子写真印刷機の感光ドラムクリーニング装置に関するものである。
【背景技術】
【０００２】
この種の従来における感光ドラムクリーニング装置の一例として図１に示すようにしたものがあり、この従来の感光ドラムクリーニング装置は、感光ドラムａの回転方向で、かつ上下方向に位置をずらせた２個所にクリーニングロールｂ，ｃをそれぞれ感光ドラムａの回転方向に対してリバース回転させて摺擦させ、上側のクリーニングロールｂを、軸体に吸液性を有する摺擦体（スポンジ層）ｄを積層した構成にし、また下側のクリーニングロールｃを、周壁に多数の小孔を設けた円筒ｅに吸液性を有する摺擦体（スポンジ層）ｄを積層すると共に、円筒ｅの中空部に吸引管ｆを設けた構成にし、上記上側のクリーニングロールｂに向けて洗浄液を噴霧する噴霧ノズルｇを設け、両クリーニングロールｂ，ｃの間にクリーニングブレードｈを設けた構成になっている。そして上記両クリーニングロールｂ，ｃの表面に、これらの表面をクリーニングするクリーニングブレードｉ，ｊが当接されている（特許文献１参照）。
【０００３】
【特許文献１】特開２００４−２７１８３３号公報
【発明の開示】
【発明が解決しようとする課題】
【０００４】
上記した従来の感光ドラムクリーニング装置にあっては、感光ドラムａの表面をクリーニングするために、上下に位置をずらせて２本のクリーニングローラｂ，ｃを設けると共に、その上側のクリーニングロールに洗浄液を供給する構成となっていることによりコスト面で問題があり、またこの両クリーニングローラｂ，ｃが連動連結されていたため、上記２本のクリーニングロールの回転速度を個々に調整することができず、画像記録速度の変化に追随して全画像記録速度の領域での最適なローラの回転速度制御がしにくかった。
【０００５】
また、各クリーニングロールｂ，ｃのクリーニングのために、これにクリーニングブレードを接触させていたため、このクリーニングブレードによりスポンジにて構成されているクリーニングロール表面が損傷するおそれがあった。
【０００６】
また、両クリーニングロールｂ，ｃの間に設けたクリーニングブレードｈにて掻き落とされたトナー及びキャリア液が下側のクリーニングロールｃを介して排除する構造であるため、上側のクリーニングブレードｈにて掻き落としたトナーやキャリア液が下側のクリーニングロールｃから感光ドラムａの表面に再付着してしまうことがあり、洗浄効率的に改善の余地があった。
【０００７】
本発明は上記したことにかんがみなされたもので、１つの拭き取りロールを用いて構成を簡単にすると共に、感光ドラムの表面に摺擦するクリーニングロールの回転速度を画像記録速度の変化に追随して制御でき、またクリーニングロールの外周面の損傷を少なくしてこれの寿命を長くでき、さらに高速生産においても感光ドラムの表面に残留するトナー量をより微少にできるようにした電子写真印刷機の感光ドラムクリーニング装置を提供することを目的とするものである。
【課題を解決するための手段】
【０００８】
上記目的を達成するために、本発明に係る電子写真印刷機の感光ドラムクリーニング装置は、感光ドラム上に形成されたトナー像を転写ドラムを介して被記録媒体上に転写して画像印刷するようにした電子写真印刷機の感光ドラムクリーニング装置において、感光ドラムの回転方向上流側から順に、感光ドラムの表面に接触する掻き取りブレードと、感光ドラムの表面にリバース回転にて摺擦する拭き取りロールとを設け、拭き取りロールの感光ドラムとの摺擦部より上流側に拭き取りロールに対して順回転する絞りロールを、また拭き取りロールの感光ドラムとの摺擦部より下流側で、かつ上記絞りロールとの間に外周の一部を洗浄用のキャリア液に浸漬して、上記拭き取りロールに対して正逆いずれかの方向に回転するブラシロールをそれぞれ拭き取りロールに圧接した構成になっている。
【０００９】
また、本発明に係る電子写真印刷機の感光ドラムクリーニング装置は、感光ドラム上に形成されたトナー像を転写ドラムを介して被記録媒体上に転写して画像印刷するようにした電子写真印刷機の感光ドラムクリーニング装置において、感光ドラムの回転方向上流側から順に、感光ドラムの表面に接触する掻き取りブレードと、感光ドラムの表面にリバース回転にて摺擦する拭き取りロールとを設け、拭き取りロールの感光ドラムとの摺擦部より上流側に拭き取りロールに対して順回転する絞りロールを、また拭き取りロールの感光ドラムとの摺擦部より下流側で、かつ上記絞りロールとの間に外周の一部を洗浄用のキャリア液に浸漬して、上記拭き取りロールに対してリバース回転するブラシロールをそれぞれ拭き取りロールに圧接し、機械的に連動駆動された拭き取りロール、絞りロール、ブラシロールとを単独モータに連動連結して駆動制御するようにした構成になっている。
【００１０】
そして上記クリーニング装置において、掻き取りブレードの下側に、この掻き取りブレードにて掻き取った掻き取り液を導く掻き取り液ガイドを設け、絞りロールの下側に、絞りロールにて絞られた絞り液と上記掻き取り液ガイドからの掻き取り液を受ける絞り液受皿を設けた構成になっており、さらに上記掻き取りブレードが、感光ドラムとの回転方向に離隔した２個所に配置されている。
【発明の効果】
【００１１】
本発明によれば、感光ドラムに摺擦するクリーニングロールは１つの拭き取りロールであることにより、拭き取りロールを用いたクリーニング装置として構成を簡単にすることができ、またこの拭き取りロールをこれに圧接する絞りロールとブラシロールと共に単独モータにて駆動するようにしたことにより、感光ドラムに対するクリーニングロールである拭き取りロールを感光ドラムの回転に対して最適な回転数に自由に調整することができる。
【００１２】
また、上記拭き取りロールのクリーニングを、この拭き取りロールに圧接回転する絞りロールとブラシロールにて行うようにしたことにより、拭き取りロールはこれのクリーニングによる損傷を受けることがなくなり、拭き取りロールの寿命を長くすることができる。
【００１３】
さらに本発明によれば、感光ドラムのクリーニングを感光ドラムの表面に摺接するブレードを有する掻き取りブレード、感光ドラムの表面にリバース回転して摺擦する拭き取りロールにて行われることにより、感光ドラムの表面のクリーニングを良好に行うことができ、これに残留する残留トナー及びキャリア液の量を微少にすることができる。
【００１４】
そしてさらに本発明において、掻き取りブレードが感光ドラムの回転方向に離隔した２個所に配置されていることにより、掻き取りブレードによる掻き取り作用をダブルで行うことができ、良好な掻き取り作用を得ることができる。
【発明を実施するための最良の形態】
【００１５】
図２は本発明を実施しようとする電子写真印刷機を概略的に示す説明図であり、図中１は感光ドラム、２はこの感光ドラム１に対接する転写ドラム、３はこの転写ドラム２に対接するバックアップローラである。
【００１６】
この電子写真印刷機にあっては、上記感光ドラム１は図示しないモータ等の駆動手段にて画像形成時に一定速度で矢印方向に回転され、感光ドラム１の表面は帯電装置４にて暗中にて一様に帯電され、ついで感光ドラム１の表面に露光装置５により原稿光像が照射結像され、これにより感光ドラム１の表面に静電潜像が形成される。その後、静電潜像が現像領域を通過する際に、現像装置６にてこの静電潜像が可視像化されて感光ドラム１の表面にトナー像が形成される。
【００１７】
この感光ドラム１の表面上におけるトナー像は、転写領域にて転写ドラム２を通して印加されるバイアス電圧とドラム間のニップ圧により、転写ドラム２の表面に１次転写され、この１次転写のトナー像は２次転写領域にて、転写ドラム２とバックアップローラ３の間を通過する被記録媒体７に２次転写されるようになっている。そして２ａは、上記転写ドラム２にキャリア液を供給するキャリア液供給装置である。
【００１８】
トナー像が２次転写された被記録媒体７は、図示しない定着装置（乾燥機）によりトナー像に定着された後、印刷物として機外に排出される。一方、上記１次転写後、感光ドラム１上に残留した残留電位が除電器８にて除去される。そして上記１次転写完了後の感光ドラム１の表面に残留したキャリア液と残留トナーが上記除電器８の下流側で感光ドラムクリーニング装置９により除去されるようになっている。なお、転写ドラム２に残留した残留トナーは、転写ドラムクリーニング装置１０にて除去されて次の作像に備えられるようになっている。
【００１９】
上記感光ドラムクリーニング装置９は図３に示すようになっている。この図３において、１１は掻き取りブレード、１２は拭き取りロール、１３は絞りロール、１４はブラシロール、１５はこれらを収納するケースである。
【００２０】
上記掻き取りブレード１１は、感光ドラム１に先端が摺接する２枚のブレード１１ａ，１１ｂを感光ドラム１の回転方向に離隔してブラケット１６に固着した構成になっている。そしてこのブラケット１６は、１本の固着具１７にてケース１５側に固定されていて、この固定具１７をゆるめることによりブラケット１６が回動して上記両ブレード１１ａ，１１ｂの感光ドラム１の周面への当接強さを調節できるようになっている。上記２枚のブレード１１ａ，１１ｂのそれぞれの先端は、上記固定具１７によるブラケット１６の回動支点より上側に位置していることにより、ブラケット１６を図３において左方向に回動することにより両ブレード１１ａ，１１ｂの摺接力が大きくなるが、このときにおいて両ブレード１１ａ，１１ｂが上下方向に離隔していることにより、上側に位置する上流側のブレード１１ａの摺接力が下側に位置する下流側のブレード１１ｂより大きくなる。
【００２１】
掻き取りブレード１１の下側に掻き取りブレード１１ｂにて掻き取った掻き取り液を受ける掻き取り液ガイド１８が設けてあり、この掻き取り液ガイド１８はケース１５の下部に設けられた絞り液受皿１９に連通されている。
【００２２】
拭き取りロール１２は上記掻き取りブレード１１の下流側に位置して感光ドラム１の周面に接触すると共に、感光ドラム１の周面に対してリバースする方向に回転するようにして設けられている。拭き取りロール１２の外周部はスポンジにて構成されていて、この拭き取りロール１２が感光ドラム１の周面に対してリバース回転することにより摺擦して感光ドラム１の表面を拭き取るようになっている。
【００２３】
絞りロール１３は拭き取りロール１２の下側で、かつこの拭き取りロール１２の感光ドラム１との接触点よりも上流側に圧接されている。また、この絞りロール１３は拭き取りロール１２に対して順方向に回転するようになっている。そしてこの絞りロール１３の下側に上記絞り液受皿１９が設けられている。
【００２４】
ブラシロール１４は、拭き取りロール１２の上記感光ドラム１との摺擦部より下流側で、かつ上記絞りロール１３より上流側の周面で接触するようにして設けられている。そしてこのブラシロール１４は、拭き取りロール１２に対してリバース回転するようになっている。ブラシロール１４の下側に洗浄用のキャリア液を入れる液舟２０が設けてあり、ブラシロール１４の下部はこの液舟２０内のキャリア液に浸漬されている。
【００２５】
上記拭き取りロール１２、絞りロール１３及びブラシロール１４は図示しない歯車機構にて連結されていて、これらは回転速度を自由に制御可能にした図示しない単独モータを駆動元として駆動されるようになっており、拭き取りロール１２は感光ドラム１の回転に追随するように回転制御され、また感光ドラム１の回転に対して最適な回転数に自由に調整できるようになっている。
【００２６】
上記構成において、感光ドラム１の回転に従って、この感光ドラム１の表面に残留しているキャリア液と残留トナーは除電器８にて除電された後において掻き取りブレード１１にて掻き取られる。このときにおいて感光ドラム１の表面に残留トナーは、キャリア液と共に２枚のブレード１１ａ，１１ｂにてこれの大部分が掻き取られる。そしてこの掻き取られた残留トナーは、キャリア液と共に掻き取り液ガイド１８を通って絞り液受皿１９に導かれる。
【００２７】
ついで感光ドラム１の表面は、リバース回転している拭き取りロール１２にて摺擦され、上記掻き取りブレード１１にて取りきれなかった微細な残留トナー及びキャリア液が、この拭き取りロール１２にて拭き取られる。そしてこの拭き取りによって汚れた拭き取りロール１２はブラシロール１４の押し付け回転により、かつこのブラシロール１４から供給される洗浄用のキャリア液にてクリーニングされる。また、上記ブラシロール１４にて拭き取りロール１２に供給された洗浄用のキャリア液は、感光ドラム１に摺擦する前に絞りロール１３にて絞り取られる。絞り取られたキャリア液は、絞り液受皿１９より外部へ排出される。
【００２８】
上記実施の形態では、掻き取りブレード１１を２枚のブレード１１ａ，１１ｂを用いた例を示したが、これは１枚あるいは３枚以上であっても良い。
【００２９】
上記ブラシロール１４は、拭き取りロール１２に対して順回転するようにしてもよい。この場合、ブラシロール１４に対する動力伝達系を変えるか、あるいはブラシロール１４を単独モータにて駆動するようにしてもよい。なお、上記拭き取りロール１２、ブラシロール１４及び絞りロール１３のそれぞれを回転制御可能にした単独モータにて駆動するようにしてもよい。
【図面の簡単な説明】
【００３０】
【図１】従来の感光ドラムクリーニング装置を示す断面図である。
【図２】本発明を適用しようとする電子写真印刷機の一例を概略的に示す説明図である。
【図３】本発明の要部を概略的に示す断面図である。
【符号の説明】
【００３１】
１…感光ドラム、２…転写ドラム、３…バックアップローラ、４…帯電装置、５…露光装置、６…現像装置、７…被記録媒体、８…除電器、９…感光ドラムクリーニング装置、１０…転写ドラムクリーニング装置、１１…掻き取りブレード、１１ａ，１１ｂ…ブレード、１２…拭き取りロール、１３…絞りロール、１４…ブラシロール、１５…ケース、１６…ブラケット、１７…固定具、１８…掻き取り液ガイド、１９…絞り液受皿、２０…液舟。
【図１】
0004445546.tif 000002
【図２】
0004445546.tif 000003
【図３】
0004445546.tif 000004